(57)【要約】【課題】異常の検知と高圧電源すべての出力の停止を単一の異常検知回路で実行できるようにする。【解決手段】第１の出力と、前記第１の出力と異なる出力電圧を設定可能な第２の出力と、異常時に高圧電源回路を停止させる単一の保護回路５０と、を備え、前記保護回路５０は第１及び第２のエラー検出電圧発生部ａ，ｂによって前記第１及び前記第２の出力の異常を検知し、前記出力の一方に異常が発生したとき、第１及び第２の電圧変換部２２，３２への電源供給を断って前記第１及び第２の出力の両方の出力を停止させる。【選択図】図２
2008172998.tif 000002
【特許請求の範囲】
【請求項１】
異なる出力電圧を設定可能な複数の出力と、
異常時に前記出力を停止させる単一の保護回路と、
を備え、
前記保護回路は異常が発生したとき、前記複数の出力の全てを停止させることを特徴とする高圧電源装置。
【請求項２】
請求項１記載の高圧電源装置において、
前記複数の出力が第１の出力及び第２の出力の２出力であって、
前記第１の出力及び第２の出力のそれぞれの異常を電圧によって検出する第１及び第２のエラー検出電圧発生部を備え、
前記保護回路へは前記第１及び第２のエラー検出電圧発生部からの電圧が入力されることを特徴とする高圧電源装置。
【請求項３】
請求項２記載の高圧電源装置において、
前記保護回路への前記第１及び第２のエラー検出電圧発生部からの電圧はツェナーダイオードを介して入力されることを特徴とする高圧電源装置。
【請求項４】
請求項１記載の高圧電源装置において、
前記保護回路内の異常検出部への入力部に、当該異常検出部側がアノード、信号の入力側がカソードとなるようにツェナーダイオードを設け、
前記第１及び第２の出力のエラー検出電圧発生部を、ダイオードを通して１つにまとめ、前記ダイオードのカソード側を前記ツェナーダイオードのカソードと接続し、エラー検出電圧発生部の１つが予め設定された電圧以上になると前記異常検出部に信号が入力されることを特徴とする高圧電源装置。
【請求項５】
請求項１ないし４のいずれか１項に記載の高圧電源装置において、
前記保護回路は前記出力を停止させる際、出力電圧の値を制御する制御手段の電源を落とすことを特徴とする高圧電源装置。
【請求項６】
請求項１ないし４のいずれか１項に記載の高圧電源装置において、
前記保護回路は前記出力を停止させる際、高圧電源入力電圧を落とすことを特徴とする高圧電源装置。
【請求項７】
請求項１ないし６のいずれか１項に記載の高圧電源装置において、
前記保護回路は前記出力の停止と同時にＣＰＵへ異常を知らせる信号を出力することを特徴とする高圧電源装置。
【請求項８】
請求項２ないし４のいずれか１項に記載の高圧電源装置において、
前記第１及び第２のエラー検出電圧発生部が昇圧部の一次側に配置されていることを特徴とする高圧電源装置。
【請求項９】
請求項２ないし４のいずれか１項に記載の高圧電源装置において、
前記第１及び第２のエラー検出電圧発生部が昇圧部の二次側に配置されていることを特徴とする高圧電源装置。
【請求項１０】
請求項１記載の高圧電源装置において、
前記保護回路は前記複数の出力の全てを停止させた後、前記異常発生から復帰までの間に各出力を個別に出力させることを特徴とする高圧電源装置。
【請求項１１】
請求項１０記載の高圧電源装置において、
前記各出力を個別に出力させる際、前記各出力を個別に重畳することなく順次出力することを特徴とする高圧電源装置。
【請求項１２】
請求項１０記載の高圧電源装置において、
前記各出力を個別に出力させる際、前記各出力を順に重畳しながら出力することを特徴とする高圧電源装置。
【請求項１３】
請求項１０記載の高圧電源装置において、
前記各出力を個別に出力させる際、前記各出力を個別に重畳することなく順次出力し、その後、前記各出力を順に重畳しながら出力することを特徴とする高圧電源装置。
【請求項１４】
請求項１１ないし１３のいずれか１項に記載の高圧電源装置において、
前記各出力を個別に出力させる際、前記各出力に対する各入力信号を制御する手段を備えていることを特徴とする高圧電源装置。
【請求項１５】
請求項１１ないし１３のいずれか１項に記載の高圧電源装置において、
前記各出力への供給電源を開閉するスイッチと、
前記各出力を個別に出力させる際、前記スイッチの開閉を制御する手段と、
を備えていることを特徴とする高圧電源装置。
【請求項１６】
請求項１ないし１５記載の高圧電源装置を備えていることを特徴とする画像形成装置。
【請求項１７】
第１の出力と、
前記第１の出力と異なる出力電圧を設定可能な第２の出力と、
を備え、
前記第１及び前記第２の出力の一方に異常が発生したとき、前記第１及び第２の出力の両方の出力を停止させることを特徴とする電源供給制御方法。
【発明の詳細な説明】
【技術分野】
【０００１】
本発明は複数の出力を有する高圧電源装置、この高圧電源装置を備えた複写機、プリンタ、ファクシミリ及びこれらの装置の機能を備えたデジタル複合機等の画像形成装置、及び電源供給制御方法に関する。
【背景技術】
【０００２】
電子複写機装置やレーザプリンタ装置等の画像形成装置においては、帯電装置、転写装置、現像装置等が内蔵されている。これらの装置を動作させる際には、高圧電源装置の出力が用いられている。画像形成装置の制御装置では、この高圧電源の出力電圧を調整しながら画像形成処理を行っている。また、複数色で構成されたカラー画像を形成するためのカラー画像形成装置においては、各色、すなわちＣ（シアン）Ｍ（マゼンタ）Ｙ（イエロー）Ｋ（ブラック）のそれぞれの画像を形成するために、各色に対応した複数の帯電装置、転写装置、現像装置等が設けられている。
【０００３】
安全上、高圧電源には異常時に高圧電源の出力を停止させる保護回路を設けていることが多いが、画像形成装置の高圧電源は複数の出力を有するので各出力に対しそれぞれ異常検知回路を設け保護動作を作動させる構成となっていた。
【０００４】
この例として、例えば特許文献１又は２記載の発明が知られている。このうち特許文献１記載の発明は、出力電圧あるいは出力電流を所定値に制限する高圧電源装置の異常検出方式において、出力電力を検出する電力検出手段と、この電力検出手段の検出電力が所定の範囲を越えたことを検出する検出手段を備え、前記検出手段の出力により出力電圧あるいは出力電流を制限又は停止することを特徴としている。
【０００５】
また、特許文献２記載の発明は、入力電圧を昇圧して負荷に供給する高圧電源装置において、負荷に以上電流が流れたときにそれを検出する異常電流検出手段と、が手段による異常電流の検出値に応じた時間だけ出力電流を低下させるように制御する出力電流制御手段と、該手段による出力電流を低下させる制御の繰り返しが連続して一定時間継続したときに高電圧出力動作を停止する手段と、を備えたことを特徴としている。
【特許文献１】特開昭６１−２１０４０７号公報
【特許文献２】特許第２９４５７１０号公報
【発明の開示】
【発明が解決しようとする課題】
【０００６】
そのため多くの部品を使用しており、また基板サイズも出力数が増えるほど大きくなっていた。
【０００７】
そこで、本発明が解決すべき課題は、異常の検知と高圧電源すべての出力の停止を単一の異常検知回路で実行できるようにすることにある。
【課題を解決するための手段】
【０００８】
前記課題を解決するため、第１の手段は、異なる出力電圧を設定可能な複数の出力と、異常時に前記出力を停止させる単一の保護回路とを備え、前記保護回路は異常が発生したとき、前記複数の出力の全てを停止させる高圧電源装置を特徴とする。
【０００９】
第２の手段は、第１の手段において、前記複数の出力が第１の出力及び第２の出力の２出力であって、前記第１の出力及び第２の出力のそれぞれの異常を電圧によって検出する第１及び第２のエラー検出電圧発生部を備え、前記保護回路へは前記第１及び第２のエラー検出電圧発生部からの電圧が入力されることを特徴とする。
【００１０】
第３の手段は、第２の手段において、前記保護回路への前記第１及び第２のエラー検出電圧発生部からの電圧はツェナーダイオードを介して入力されることを特徴とする。
【００１１】
第４の手段は、第１の手段において、前記保護回路内の異常検出部への入力部に、当該異常検出部側がアノード、信号の入力側がカソードとなるようにツェナーダイオードを設け、前記第１及び第２の出力のエラー検出電圧発生部を、ダイオードを通して１つにまとめ、前記ダイオードのカソード側を前記ツェナーダイオードのカソードと接続し、エラー検出電圧発生部の１つが予め設定された電圧以上になると前記異常検出部に信号が入力されることを特徴とする。
【００１２】
第５の手段は、第１ないし第４のいずれかの手段において、前記保護回路は前記出力を停止させる際、出力電圧の値を制御する制御手段の電源を落とすことを特徴とする。
【００１３】
第６の手段は、第１ないし第４のいずれかの手段において、前記保護回路は前記出力を停止させる際、高圧電源入力電圧を落とすことを特徴とする。
【００１４】
第７の手段は、第１ないし第６のいずれかの手段において、前記保護回路は前記出力の停止と同時にＣＰＵへ異常を知らせる信号を出力することを特徴とする。
【００１５】
第８の手段は、第２ないし第４のいずれかの手段において、前記第１及び第２のエラー検出電圧発生部が昇圧部の一次側に配置されていることを特徴とする。
【００１６】
第９の手段は、第２ないし第４のいずれかの手段において、前記第１及び第２のエラー検出電圧発生部が昇圧部の二次側に配置されていることを特徴とする。
【００１７】
第１０の手段は、第１の手段において、前記保護回路は前記複数の出力の全てを停止させた後、前記異常発生から復帰までの間に各出力を個別に出力させることを特徴とする。
【００１８】
第１１の手段は、第１０の手段において、前記各出力を個別に出力させる際、前記各出力を個別に重畳することなく順次出力することを特徴とする。
【００１９】
第１２の手段は、第１０の手段において、前記各出力を個別に出力させる際、前記各出力を順に重畳しながら出力することを特徴とする。
【００２０】
第１３の手段は、第１０の手段において、前記各出力を個別に出力させる際、前記各出力を個別に重畳することなく順次出力し、その後、前記各出力を順に重畳しながら出力することを特徴とする。
【００２１】
第１４の手段は、第１１ないし第１３のいずれかの手段において、前記各出力を個別に出力させる際、前記各出力に対する各入力信号を制御する手段を備えていることを特徴とする。
【００２２】
第１５の手段は、第１１ないし第１３のいずれかの手段において、前記各出力への供給電源を開閉するスイッチと、前記各出力を個別に出力させる際、前記スイッチの開閉を制御する手段とを備えていることを特徴とする。
【００２３】
第１６の手段は、第１ないし第１５のいずれかの手段に係る高圧電源装置を備えた画像形成装置を特徴とする。
【００２４】
第１７の手段は、第１の出力と、前記第１の出力と異なる出力電圧を設定可能な第２の出力とを備え、前記第１及び前記第２の出力の一方に異常が発生したとき、前記第１及び第２の出力の両方の出力を停止させる電源供給制御方法を特徴とする。
【００２５】
なお、後述の実施形態では、第１の出力は第１の負荷２０に印加される出力に、第２の出力は第２の負荷３０に印加される出力に、保護回路は符号５０に、第１のエラー検出発生部は符号ａに、第２のエラー検出電圧発生部は符号ｂに、ツェナーダイオードは符号２５に、昇圧部は符号２３，３３に、それぞれ対応し、異常の発生は異常検出部５１によって検出される。
【発明の効果】
【００２６】
本発明によれば、異常の検知と高圧電源すべての出力の停止を単一の異常検知回路で実行することができる。
【発明を実施するための最良の形態】
【００２７】
以下、本発明の実施形態について図面を参照して説明する。なお、以下の各実施例において、共通の構成には同一の参照符号を付し、重複する説明は省略する。
【実施例１】
【００２８】
図１は実施例１で対象としている一般に使用されている二次転写方式の画像形成装置の作像部の概略構成を示す図である。同国において、画像形成装置の作像部は感光体ドラム１と、感光体ドラム１上に形成されたトナー像が一次転写装置２によって転写される中間転写ベルト３と、この中間転写ベルト３が張設される１対のローラ４，５対と、このローラ４，５対の一方、例えば従動側のローラ５に対向して設けられた二次転写装置６とから基本的に構成されている。感光体ドラム１の外周には、回転方向に沿って帯電装置７、現像装置８、一次転写装置２、クリーニング装置９及び除電装置１０が設けられ、前記二次転写装置６と前記従動ローラ５との間には、図示しない給紙装置から伸びる用紙経路１１が設けられている。
【００２９】
このように大略構成された画像形成装置では、図示矢印方向に回転する感光体ドラム１の表面が帯電装置７によって帯電され、帯電された感光体ドラム１表面に光ビーム１２が照射される。これにより、感光体ドラム１の表面に静電潜像が形成される。形成された静電潜像は現像装置８によってトナー現像され、トナー像が感光体ドラム１表面に形成される。中間転写ベルト３は感光体ドラム１表面と一次転写装置２位置で接触しており、前記トナー像が一次転写装置２位置に至ると、一次転写装置２の転写バイアスによって感光体ドラム１表面のトナー像は中間転写ベルト３上に転写される。
【００３０】
中間転写ベルト３に転写された画像は中間転写ベルト３の図示矢印方向の回転により従動ローラ５側に至り、前記給紙装置側から用紙経路１１に沿って搬送されてきた用紙はレジストローラ１３位置から前記画像先端とタイミングを取って送り出される。そして、二次転写装置６位置で画像先端と用紙先端が揃った状態になり、用紙の搬送に伴って中間転写ベルト３上の画像が用紙上に転写される。転写された画像は図示しない定着装置によって定着され、機外に排出される。
【００３１】
図２は図１の画像形成装置の高圧電源回路ＨＶＰの概略構成を示すブロック図である。同図において、並列に設けられた第１及び第２の負荷２０，３０に対してそれぞれ電源が供給される。電源の供給は第１の負荷２０に対しては、直列に設けられた第１のＰＷＭ入力部２１、第１のＰＷＭ入力部２１からの入力に基づいて電源４０から供給される電源電圧を変換する第１の電圧変換部２２、第１の電圧変換部２２で変換された電圧を昇圧して第１の負荷に供給する昇圧部２３によって行われ、第２の負荷３０に対しても直列に設けられた同様の構成の第２のＰＷＭ入力部３１、第２の電圧変換部３２及び第２の昇圧部３３によって行われる。なお、第１及び第２の昇圧部２３，３３の下流側（二次側）の出力は第１及び第２の昇圧変換部２２，２３にフィードバックされている。第１及び第２の昇圧部２３，３３の上流側（一次側）にはそれぞれ第１及び第２のエラー検出電圧発生部ａ，ｂが接続され、第１及び第２のエラー検出電圧発生部ａ，ｂの出力は保護回路５０に導かれる。この接続回路には第１及び第２のダイオード２４，３４がそれぞれ並列に設けられ、第１及び第２のダイオード２４，３４と保護回路５０との間には前記ダイオード２４，３４と直列にツェナーダイオード２５が接続されている。なお、保護回路５０には異常検出部５１が設けられている。
【００３２】
すなわち、ツェナーダイオードは異常検出部側がアノード、信号の入力側がカソードとなるように第1１及び第２の出力のエラー検出電圧発生部ａ，ｂからの信号線に接続され、前記第１及び第２の出力のエラー検出電圧発生部ａ，ｂは前記第１及び第２のダイオード２４，３４のカソード側を１つにまとめ、前記ツェナーダイオードのカソードと接続している。なお、電源４０は外部電源装置４１から電源の供給を受ける。
【００３３】
このように構成された高圧電源回路ＨＶＰでは、第１及び第２のエラー検出電圧発生部ａ，ｂが前述のように接続されていることから、第１及び第２のエラー検出電圧発生部ａ，ｂどちらかの電圧が１５Ｖ以上となったとき、保護回路５０内の異常検出部５１に電流が流れる。保護回路５０はこの電流によってエラーを検知し、高圧電源基板上にある電圧変換部２２，２３の電源を落とし、たとえＰＷＭ信号が入力されても高圧出力を停止させる。なお、電圧変換部２２，２３はＩＣによって構成されている。
【００３４】
このように本実施例によれば、エラーを信号で見るのではなく各エラー検出電圧発生部ａ，ｂが一定の電圧以下であるという条件で電圧を監視することによって保護回路として１つにまとめることができる。その結果、複数の出力に対しても単一の保護回路５０（異常検出部５１）で検知できる構成とすることが可能となり、省コスト及び省スペース化に有利になる。
【００３５】
また、エラー検出電圧発生部ａ，ｂを昇圧部２３，３３の一次側に配置したので、高圧になる前の電圧で異常検知することが可能となる。これにより耐圧の高い部品を使用する必要がなくなり、コスト的に優位となる。
【実施例２】
【００３６】
図３は実施例２に係る高圧電源回路ＨＶＰの槻略構成を示すブロック図である。この実施例は、実施例１に対して第１及び第２のエラー検出電圧発生部ａ，ｂをそれぞれ第１及び第２の昇圧部２３，３３の二次側に配置した例である。画像形成装置自体、及び高圧電源回路ＨＶＰは、第１及び第２のエラー検出電圧発生部ａ，ｂの配置を除いて実施例１と同等に構成され、保護回路５０も第１及び第２のエラー検出電圧発生部ａ，ｂの検知出力によって同一の動作を行う。
【００３７】
なお、第１及び第２のエラー検出電圧発生部ａ，ｂは昇圧後の電圧を検知することから、図示していないが、実機では抵抗などで分圧し、所定の電圧まで落とした電圧が保護回路５０に入力するようにしてある。その他、特に説明しない各部は実施例１と同等に構成され、同等に機能する。
【００３８】
このように本実施例によれば、第１及び第２のエラー検出電圧発生部ａ，ｂを第１及び第２の昇圧部２３，３３の二次側に配置下ので、昇圧の際の誤差（トランスの公差等）に関係なく、負荷にかかる電圧（実機では降圧した電圧）を直接異常検出部５１に入力することができる。これにより、実施例１に比べて異常検出電圧をよりシビアに検出することが可能となる。
【実施例３】
【００３９】
図４は実施例３に係る高圧電源回路ＨＶＰの概略構成を示すブロック園である。この実施例は、実施例１では、異常発生時に保護回路５０がｌＣ電源４０から電圧変換部２２，３２に供給する電源をオフするように構成したものを、外部電源装置６０からｌＣ電源４０に供給される電源をオフするように構成したものである。
【００４０】
これにより異常が発生したとき、外部電源装置６０からｌＣ電源４０に供給される電源がオフされ、１Ｃ電源４０への電源の供給が行われなくなる。その結果、電圧変換部２２，３２への電源供給が停止され、高圧電源回路ＨＶＰからの高圧出力が停止される。
【００４１】
その他、特に説明しない各部は実施例１と同等に構成され、同等に機能する。
【実施例４】
【００４２】
図５は実施例４に係る高圧電源回路ＨＶＰの槻略構成を示すブロック図である。この実施例は、実施例１に対して外部、ここではＣＰＵ７０にエラー信号を出力することができるように構成した例で、高圧電源回路ＨＶＰ自体は実施例１と同一である。
【００４３】
図６は保護回路５０内のエラー信号の外部出力に関する回路構成を示すブロック図である。保護回路５０は第１ないし第３のスイッチ５２，５３，５４を備えている。第２及び第３のスイッチ５３，５４は第１のスイッチ５２に対して並列に接続され、第２のスイッチ５３はｌＣ電源Ｖｄｄに、第３のスイッチ５４はＣＰＵ７０側への制御電源回路２６に接続されている。その他、特に説明しない各部は実施例１と同等に構成され、同等に機能する。
【００４４】
この実施例では、保護回路５０においてツェナーダイオード２５を貫通して電流が流れた場合に、図６に示すように第１のスイッチ５２がオンされ、そのオン信号を受けて第２及び第３のスイッチ５３，５４が同時にオンするような回路構成をとっている。これにより異常検出時に高圧出力停止の保護動作と同時にＣＰＵ７０へエラーを知らせる信号２７を追加する構成となり、画像形成装置全体の動きを停止させるとともに、ユーザーにその旨知らせることが可能となる。
【００４５】
なお、画像形成装置全体の動きを停止させることに代えて、高圧基板へ入力しているＰＷＭを停止させることにより電源供給を停止させることも可能である。
【実施例５】
【００４６】
前記実施例１ないし４記載の発明では、複数の負荷を有する高圧電源に対し、
負荷数＝エラー検知部
ではなく負荷数にかかわらずエラー信号を１つにまとめる構成をとることによってコスト及びスペース的に有利となっている。しかし、実施例１ないし４記載の発明の構成のみでは異常検出部５１を１つにしたためにエラー発生時に、どの負荷においてエラーが発生しているかは不明であった。そのため、エラー発生時ユーザーあるいはサービスマンは全ての出力に対し検査し、エラーを生じた負荷を見つける必要があった。
【００４７】
そこで、本実施例では、実施例１ないし４の構成のままで、エラー発生個所を特定できるようにした。図７は実施例５におけるエラー発生個所の特定処理の処理手順を示すフローチャートである。
【００４８】
すなわち、実施例４の図５に示した構成において、エラー発生時に復帰までの間に「第１の出力（例えば第１の負荷２０）のみｏｎ」→「第２の出力（例えば第２の負荷３０）のみｏｎ」という制御ステップを設けることによりどの出力でエラーが発生しているのかを特定することができる。
【００４９】
具体的には、図７において、エラーが発生すると（ステップＳ１０１）、全出力を停止させ（ステップＳ１０２）、その後、第１出力（負荷２０）をｏｎする（ステップＳ１０３）。この状態でエラー発生があるかどうかをチェックする（ステップＳ１０４）。エラー発生があれば、エラー発生個所を特定し（ステップＳ１０５）、特定したエラー個所をユーザーに表示する（ステップＳ１０６）。次いで、第１出力（負荷２０）をｏｆｆ、第２出力（負荷３０）をｏｎした（ステップＳ１０７）後、エラー発生の有無をチェックする（ステップＳ１０８）。一方、ステップＳ１０４でエラーが発生していなければ、ステップＳ１０７にスキップし、ステップＳ１０７の処理を実行する。
【００５０】
ステップＳ１０８のチェックで、エラーが発生していれば、エラー発生個所を特定し（ステップＳ１０９）、特定したエラー個所をユーザーに表示する（ステップＳ１１０）。その後、第２出力をｏｆｆ、第３出力をｏｎというように、各出力について順次ｏｆｆ、ｏｎを繰り返してエラー位置を特定し、第ｎ出力までくると、第（ｎ−１）出力をｏｆｆ、第ｎ出力をｏｎして（ステップＳ１１１）、エラー発生の有無をチェックする（ステップＳ１１２）。そして、エラー発生があれば、エラー発生個所を特定し（ステップＳ１１３）、特定したエラー個所をユーザーに表示し（ステップＳ１１４）、処理を終える。また、ステップＳ１１２でエラー発生がなければ、そのまま処理を終える。
【００５１】
例えば、図８に示すように第１出力（第１の負荷２０）に異常が発生した場合、図７のフローチャートに示したような制御処理を行わないときには、どの部分（出力個所）で異常が発生したか特定できないまま、高圧電源を止めることになる。しかし、図７のフローチャートに示したように各出力を個別に順次出力し、エラーチェックを行うことにより、エラー個所が特定できる。また、複数の出力に異常が発生した場合も、第１出力の異常表示後、他の出力に異常がないかチェックするので、全ての出力の異常検出が可能となる。
【００５２】
その他、特に説明しない各部は図５に示した第４の実施例と同等に構成されているので、重複する説明は省略する。
【実施例６】
【００５３】
高圧電源の使用用途においては図９に示すように全体のシステムの構成上、第１出力の負荷２０と第２出力の負荷３０同士が負荷６０を通してつながった経路をもつ場合がある。例えば、画像形成装置における帯電出力と現像出力は感光体を通して高圧電源の負荷同士につながった経路がある。このような構成の場合、各出力を個別に出力させてもエラーにはならないが、つながった経路を有し、かつ、その負荷を通してつながっている出力の極性が違うときには複数の出力を同時にｏｎすることによりエラーが発生する可能性もある。図９では、第１出力２０の極性がマイナスで第２出力３０の極性がプラスの例を示している。
【００５４】
図１０は、このように高圧電源の負荷同士がつながった高電圧負荷の場合に好適なエラー発生個所の特定処理の処理手順を示すフローチャートである。
【００５５】
このフローチャートでは、図７のフローチャートのステップＳ１０７に代えてステップＳ１０７ａとし、また、ステップＳ１１１に代えてステップＳ１１１ａとしたものである。ステップＳ１０７ａでは第１出力（負荷２０）ｏｎ、第２出力（負荷３０）ｏｎとし、ステップＳ１１１ａでは、第１出力ｏｎ、第２出力ｏｎ・・・第ｎ出力ｏｎというように各出力（負荷）を重畳させてエラー発生をチェック（ステップＳ１１２）するもので、個別ではエラーが発生しない場合においてもエラー個所を特定することができる。
【００５６】
その他、特に説明しない各部及び各ステップは実施例５と同等に構成され、同等に機能する。
【実施例７】
【００５７】
図１１は実施例７におけるエラー発生個所の特定処理の処理手順を示すフローチャートである。このフローチャートは、実施例５と実施例６を組み合わせたもので、ステップＳ１０１からステップＳ１１４までは実施例５の順次出力のステップで処理し、その後、ステップＳ２０１からステップＳ２０８までの実施例２の重畳出力のステップで処理するフローチャートである。このフローチャートでは、ステップＳ１０７からステップＳ１１１で各出力を順次ｏｎしてエラー検知を行い、ステップＳ２０１からステップＳ２０５で各出力を重畳してｏｎし、エラー検知を行っている。
【００５８】
このように複数の出力を有する場合には、図８に示した高圧電源及び図９に示した高圧電源の両方でエラーが発生する可能性がある。しかし、図１１のフローチャートで示したように処理することにより、図８及び図９の構成が混同している回路構成においてもエラー発生個所を特定することができる。その他、特に説明しない各部は前記実施例５及び６と同等に構成され、同等に機能する。
【実施例８】
【００５９】
図１２は実施例８に係る高圧電源回路ＨＶＰの概略構成を示すブロック図である。この実施例は、実施例４のＣＰＵ７０がＰＷＭ入力部２１，３１にそれぞれ制御信号を出力し、各出力に対する入力信号を制御するように構成したものである。その他の各部は実施例４と同等に構成され、同等に機能する。
【００６０】
これにより、前記実施例５ないし７の制御を実現することができる。
【実施例９】
【００６１】
図１３は実施例９に係る高圧電源回路ＨＶＰの概略構成を示すブロック図である。この実施例は、実施例４の第１出力（負荷２０）及び第２出力（負荷３０）の直前に前記各出力２０，３０への電源供給のｏｎ／ｏｆｆを設定する手段、ここではスイッチ２７，３７を設け、ＣＰＵ７０が電源供給のｏｎ／ｏｆｆを設定できるようにしたものである。その他の各部は実施例４と同等に構成され、同等に機能する。
【００６２】
これにより、前記実施例５ないし７の制御を実現することができる。
【実施例１０】
【００６３】
図１４は実施例１０に係る高圧電源回路ＨＶＰの槻略構成を示すブロック図である。この実施例は、実施例８と実施例９を組み合わせ、ＣＰＵ７０によってＰＷＭ入力部２１，３１への入力信号の制御、第１出力（負荷２０）、第２出力（負荷３０）への電源供給のｏｎ／ｏｆｆ制御を行うことができるように構成したものである。その他の各部は実施例４と同等に構成され、同等に機能する。
【００６４】
これにより、前記実施例５ないし７の制御を実現することができる。
【００６５】
以上のように、前述の実施形態によれば、
１）エラーを信号で見るのではなく各エラー検出電圧発生部が一定の電圧以下であるという条件で電圧を監視することによって保護回路を１つにまとめることができる。  
２）複数の出力に対しても保護回路（異常検出部）を単一の構成とすることができるので、省コスト化と省スペース化を図ることができる。  
３）第１及び第２のエラー検出電圧発生部ａ，ｂを第１及び第２の昇圧部２３，３３のそれぞれ一次側に配置することにより、高圧になる前の電圧で異常検知を行うことができる。  
４）高圧になる前の電圧で異常検知を行うことができるので、耐圧の高い部品を使用する必要がなく、低コストで提供することができる。  
５）第１及び第２のエラー検出電圧発生部ａ，ｂをそれぞれ第１及び第２の昇圧部２３，３３の二次側に配置することにより、昇圧の際の誤差（トランスの公差等）に関係なく、負荷にかかる電圧を保護回路（異常検出部）に直接入力するので、異常検出電圧をよりシビアに検出することが可能となる。  
６）異常検出時に高圧出力停止の保護動作と同時にＣＰＵへエラーを知らせる信号を追加することができるので、画像形成装置全体の動きを停止させると同時に、ユーザーに異常を知らせることが可能となる。  
７）エラー発生から復帰までの間に出力を順次個別に出力するので、第１出力の負荷と第２出力の負荷同士が負荷を通してつながった経路をもたない場合においても、エラー検知部が１つにまとめられた構成を持つ場合においてもエラー発生個所を特定することができる。  
８）エラー発生から復帰までの間に出力を重畳的に出力するので、第１出力の負荷と第２出力の負荷同士が負荷を通してつながった経路をもつ場合においても、エラー検知部が１つにまとめられた構成を持つ場合においてもエラー発生個所を特定することができる。  ９）エラー発生から復帰までの間に出力を順次個別に出力後、出力を重畳的に出力するので、第１出力の負荷と第２出力の負荷同士が負荷を通してつながっている経路が併設されている場合回路構成においても、エラー検知部が１つにまとめられた構成を持つ場合においてもエラー発生個所を特定することができる。  
１０）出力制御を各出力毎に行うので、従来のものからハード的構成を変えることなくエラー発生個所を特定することができる。  
１１）各出力の直前にスイッチのような機構を設け、そのスイッチを制御することにより、エラー検知部が１つにまとめられた構成を持つ場合においてもエラー発生個所を特定することができる。  
１２）各出力に対する入力信号を制御するのではなく、各出力に対する入力信号及び各出力の直前にスイッチのような機構を設けそのスイッチを制御することで、異常発生個所が高圧電源外部の負荷なのか、高圧電源内部の入力−出力間の経路のものなのかまでも特定することができる。  
等の効果を奏する。
【図面の簡単な説明】
【００６６】
【図１】実施例１で対象としている一般に使用されている二次転写方式の画像形成装置の作像部の概略構成を示す図である。
【図２】図１の画像形成装置の高圧電源回路ＨＶＰの概略構成を示すブロック図である。
【図３】実施例２に係る高圧電源回路ＨＶＰの概略構成を示すブロック図である。
【図４】実施例３に係る高圧電源回路ＨＶＰの槻略構成を示すブロック図である。
【図５】実施例４に係る高圧電源回路ＨＶＰの概略構成を示すブロック図である。
【図６】実施例４における保護回路内のエラー信号の外部出力に関する回路構成を示すブロック図である。
【図７】実施例５におけるエラー発生個所の特定処理の処理手順を示すフローチャートである。
【図８】実施例５に係る高圧電源回路ＨＶＰの異常発生時の状態を示すブロック図である。
【図９】実施例６に係る高圧電源回路ＨＶＰの概略構成を示すブロック図である。
【図１０】実施例６におけるエラー発生個所の特定処理の処理手順を示すフローチャートである。
【図１１】実施例７におけるエラー発生個所の特定処理の処理手順を示すフローチャートである。
【図１２】実施例８に係る高圧電源回路ＨＶＰの概略構成を示すブロック図である。
【図１３】実施例９に係る高圧電源回路ＨＶＰの槻略構成を示すブロック図である。
【図１４】実施例１０に係る高圧電源回路ＨＶＰの概略構成を示すブロック図である。
【符号の説明】
【００６７】
１  感光体ドラム
２  一次転写装置
３  中間転写ベルト
４，５  ローラ対
６  二次転写装置
７  帯電装置
８  現像装置
９  クリーニング装置
１０  除電装置
１１  用紙経路
２０，３０  負荷
２１，３１  ＰＷＭ入力部
２２，３２  電圧変換部
２３，３３  昇圧部
２４，３４  ダイオード
２５  ツェナーダイオード
２６  制御電源回路
２７，３７  スイッチ
４０  電源
５０  保護回路
５１  異常検出部
５２，５３，５４  スイッチ
６０  外部電源装置
７０    ＣＰＵ
ａ，ｂ  エラー検出電圧発生部
ＨＶＰ  高圧電源回路
【図１】
2008172998.tif 000003
【図２】
2008172998.tif 000004
【図３】
2008172998.tif 000005
【図４】
2008172998.tif 000006
【図５】
2008172998.tif 000007
【図６】
2008172998.tif 000008
【図７】
2008172998.tif 000009
【図８】
2008172998.tif 000010
【図９】
2008172998.tif 000011
【図１０】
2008172998.tif 000012
【図１１】
2008172998.tif 000013
【図１２】
2008172998.tif 000014
【図１３】
2008172998.tif 000015
【図１４】
2008172998.tif 000016